(57)【要約】  【課題】  静止乾燥コースを行うときに使用する乾燥補助具を、容易にドラム内に設置できるようにすること。  【解決手段】  静止乾燥コースを行う際には、ドラム１２内に乾燥補助具４０が設置される。乾燥補助具４０は、防錆のためクロムめっきを施した鉄製の線材を加工することにより作られ、洗濯物を載せるための棚部材４１と、この棚部材４１から下方へ延びてドラム１２の底部周面との間で棚部材４１を支持する脚部材４２とで構成される。脚部材４２の高さＨは、ドラム１２内に設置した状態で、棚部材４１の位置がドラム１２の中心の半分程度になる高さとしている。ドラム奥側に置かれる脚部材４２が、バッフル２４の側面２４ａの根元に当接した状態で、棚部材４１の中心がドラム１２の中心と一致するよう、棚部材４１の幅Ｗと、棚部材４１と脚部材４２との角度Ｒとが決められる。【選択図】  図５
2005152476.tif 000002
【特許請求の範囲】
【請求項１】
上部に洗濯物投入口を有する筐体と、この筐体内に配設した外槽と、この外槽の内部に、横方向に延びる回転軸を中心に回転自在に配設したドラムと、このドラムの周面に設けたドラム開口と、前記ドラムを駆動するための駆動モータと、前記洗濯物投入口と前記ドラム開口とが一致した位置に、前記ドラムをロックするためのドラムロック装置と、前記ドラム内に温風を供給するための乾燥装置と、前記駆動モータ、ドラムロック装置、乾燥装置の動作を制御する制御部とを備えたドラム式洗濯乾燥機であって、
タンブリング乾燥できない洗濯物などを乾燥するための乾燥コースであって、前記制御部が前記駆動モータを動作させずに前記乾燥装置を動作させることにより、ドラムを停止した状態でドラム内に温風を供給する静止乾燥コースを備えるとともに、
この静止乾燥コースを行う際に前記ドラム内に設置され、洗濯物を、ドラムの底部周面との間に空間を有する状態で保持する乾燥補助具を備え、
この乾燥補助具を、洗濯物を載せる棚部材と、この棚部材から下方へ延びて、前記ドラムの底部周面との間で棚部材を支持する脚部材とで構成した、
ことを特徴とするドラム式洗濯乾燥機。
【請求項２】
前記ドラム周面の複数箇所に設けられ、洗濯物を掻き上げるためのバッフルを備え、前記乾燥補助具は、脚部材が、前記静止乾燥コースでの前記ドラム静止時にドラムの底部付近に位置するバッフルによって位置決めされることにより、棚部材が略水平状態になった状態で設置されることを特徴とする請求項１に記載のドラム式洗濯乾燥機。
【請求項３】
前記乾燥補助具がドラム内に設置されていることを検知する検知装置を備え、前記制御部は、前記静止乾燥コース以外のドラムが回転する運転コースが実行されたときに、前記検知装置によって前記乾燥補助具が設置されていることが検知されると、その運転コースを中断して前記駆動モータを停止状態とすることを特徴とする請求項１又は２に記載のドラム式洗濯乾燥機。
【請求項４】
前記制御部は、静止乾燥コースの実行時に、洗濯物が乾燥してくると、温風の温度を低下させるように、乾燥装置を動作することを特徴とする請求項１から３のいずれか１項に記載のドラム式洗濯乾燥機。
【発明の詳細な説明】
【技術分野】
【０００１】
本発明は、横方向に延びる回転軸（水平軸又は傾斜軸）を中心に回転するドラムを有するドラム式洗濯乾燥機に関する。
【背景技術】
【０００２】
従来、ドラム式洗濯乾燥機の１つのタイプとして、上部に洗濯物投入口を有する筐体と、この筐体内に配設した外槽と、この外槽の内部に、横方向に延びる回転軸を中心に回転自在に配設したドラムと、このドラムの周面に設けたドラム開口と、前記ドラムを駆動するための駆動モータと、前記洗濯物投入口と前記ドラム開口とが一致した位置に、前記ドラムをロックするためのドラムロック装置と、前記ドラム内に温風を供給するための乾燥装置と、前記駆動モータ、ドラムロック装置、乾燥装置の動作を制御する制御部とを備え、筐体の上部からドラム内に洗濯物を出し入れできる、いわゆるトップローディングタイプのドラム式洗濯乾燥機がある。(特許文献１参照。)
このドラム式洗濯乾燥機においては、通常、乾燥時には、ドラムを回転させて洗濯物をタンブリングしながらドラム内へ温風を供給するようにしている。したがって、セータやランジェリーなどタンブリング乾燥できない(タンブリング乾燥に向かない)洗濯物を乾燥することができなかった。
【０００３】
これに対し、従来、ドラム式の衣類乾燥機において、タンブリング乾燥できない洗濯物を乾燥するための静止乾燥コースを備えたものがある。（特許文献２参照。）
この衣類乾燥機においては、静止乾燥コースを行う際に、棚形状の補助具をドラム内に設置するとともに、運転時には、ドラムを停止した状態でドラム内に温風を供給するようにしている。
【特許文献１】特開２００３−９３７７７号公報
【特許文献２】特開平１０−３０５１９７号公報
【発明の開示】
【発明が解決しようとする課題】
【０００４】
そこで、上記のような衣類乾燥機の技術を用いて、静止乾燥コースを備えたトップローディングタイプのドラム式洗濯乾燥機を実現することが考えられる。
【０００５】
しかしながら、上記の衣類乾燥機は、ドラム前面が開口する、いわゆるフロントローディングタイプの衣類乾燥機であって、ドラムの後側の端面と前側の開口を利用して補助具を固定するようにしたものであって、トップローディングタイプのドラム式洗濯機において、ドラム端面側で補助具を固定する構造にすると、補助具を端面側に固定しにくくなる虞がある。例えば、補助具を端面に差し込む構造とした場合、補助具が十分に大きいと、上方から入れた補助具を端面側に差し込むのに必要なストロークが取れないし、だからといって補助具を小さくしてしまうと洗濯物を十分に載せることができない。
【０００６】
本発明は、このような課題を解消するものであり、トップローディングタイプのドラム式洗濯乾燥機において、乾燥補助具を容易に設置できるようにすることを目的とする。
【課題を解決するための手段】
【０００７】
本発明は、請求項１記載のように、上部に洗濯物投入口を有する筐体と、この筐体内に配設した外槽と、この外槽の内部に、横方向に延びる回転軸を中心に回転自在に配設したドラムと、このドラムの周面に設けたドラム開口と、前記ドラムを駆動するための駆動モータと、前記洗濯物投入口と前記ドラム開口とが一致した位置に、前記ドラムをロックするためのドラムロック装置と、前記ドラム内に温風を供給するための乾燥装置と、前記駆動モータ、ドラムロック装置、乾燥装置の動作を制御する制御部とを備えたドラム式洗濯乾燥機であって、
タンブリング乾燥できない洗濯物などを乾燥するための乾燥コースであって、前記制御部が前記駆動モータを動作させずに前記乾燥装置を動作させることにより、ドラムを停止した状態でドラム内に温風を供給する静止乾燥コースを備えるとともに、
この静止乾燥コースを行う際に前記ドラム内に設置され、洗濯物を、ドラムの底部周面との間に空間を有する状態で保持する乾燥補助具を備え、
この乾燥補助具を、洗濯物を載せる棚部材と、この棚部材から下方へ延びて、前記ドラムの底部周面との間で棚部材を支持する脚部材とで構成した、ことを特徴としている。
【０００８】
また、本発明においては、請求項２に記載のように、前記ドラム周面の複数箇所に設けられ、洗濯物を掻き上げるためのバッフルを備え、前記乾燥補助具は、脚部材が、前記静止乾燥コースでの前記ドラム静止時にドラムの底部付近に位置するバッフルによって位置決めされることにより、棚部材が水平状態になった状態で設置される構成とすることが好ましい。
【０００９】
さらに、本発明においては、請求項３に記載のように、前記乾燥補助具がドラム内に設置されていることを検知する検知装置を備え、前記制御部は、前記静止乾燥コース以外のドラムが回転する運転コースが実行されたときに、前記検知装置によって前記乾燥補助具が設置されていることが検知されると、その運転コースを中断して前記駆動モータを停止状態とする構成とすることが好ましい。
【００１０】
さらに、本発明においては、請求項４に記載のように、前記制御部は、静止乾燥コースの実行時に、洗濯物が乾燥してくると、温風の温度を低下させるように、乾燥装置を動作する構成とすることが好ましい。
【発明の効果】
【００１１】
本発明の請求項１の構成では、乾燥補助具によって、洗濯物がドラムの底部周面との間に空間を有する状態で保持されるので、洗濯物の上面や下面に温風を当てることができるとともに、内部にも温風を通過させることができ、洗濯物をむらなく乾かすことができる。
【００１２】
さらに、乾燥補助具は、洗濯物投入口からドラム内に入れて、その脚部材をドラムの底部周面に置くだけでよく、ドラム内に容易に設置することができる。
【００１３】
なお、ドラム内への温風の吹出口をドラムの一方の端面の中央部に設けるとともに、ドラムからの排気口をドラムの他方の端面の中央部に設け、吹出口から出た温風が洗濯物の上面や下面に当り、また洗濯物の内部を通過し、排気口やドラム周面の通水穴から出るような構成とすると、洗濯物を効率的に乾かすことができて好ましい。
【００１４】
ところで、乾燥補助具は、ドラム内に設置した状態で、洗濯物を載せる棚部材が略水平状態にならないと、洗濯物がすべり落ちたり片寄ったりする虞があるので好ましくない。しかし、上記のドラム式洗濯乾燥機では、上方からドラム内の乾燥補助具を見ることになるので、棚部材の水平状態がわかりにくく、乾燥補助具を上手く設置できない虞がある。
【００１５】
この点、請求項２の構成では、乾燥補助具の脚部材を、例えば、バッフルの側面（回転軸方向に沿った面）に当接させるようにしてドラム底部周面に置くことで、乾燥補助具が設置される。このとき、棚部材は略水平な状態になる。このように、この構成によれば、脚部材をバッフルによって位置決めされる位置に置くだけで、棚部材が水平となる状態に乾燥補助具を設置できるので、容易に乾燥補助具を適切な状態に設置できる。
【００１６】
しかも、乾燥補助具の位置を決めるために、ドラム内に専用の位置決め部材を設ける必要が無く、この位置決め部材が洗濯時や乾燥時に洗濯物に引っかかるなどして洗濯物を傷めるような虞がない。
【００１７】
また、上記のように乾燥補助具の脚部材をドラムの底部周面に置くようにしてドラム内に設置するようにした場合、使用者が誤って乾燥補助具を設置したまま、ドラムか回転する運転コースを実行した場合、乾燥補助具がドラム内部で攪拌されて、ドラムや乾燥補助具が破損する虞がある。
【００１８】
この点、請求項３の構成では、ドラムが回転する運転コースが実行されたときに、検知装置によって乾燥補助具が設置状態のままであることが検知されると、運転が中断してドラムが停止状態となる。したがって、乾燥補助具がドラム内部で攪拌されて、ドラムや乾燥補助具が破損するのを防止できる。
【００１９】
また、タンブリング乾燥できない衣類の中には、ある程度乾いてきたときに温風の温度が比較的高いままであると、フェルト収縮を起こし大きく縮んでしまうものもある。
【００２０】
この点、請求項４に構成では、静止乾燥コースにおいては、洗濯物が乾燥してくると温風の温度を低下するように乾燥装置を制御するので、フェルト収縮を起こしにくくすることができる。
【発明を実施するための最良の形態】
【００２１】
以下、本発明の第１の実施例であるドラム式洗濯乾燥機について、図面を参照して説明する。図１は本実施例のドラム式洗濯乾燥機における上蓋を開いた状態の外観斜視図、図２は同じく上蓋を閉じた状態の外観斜視図である。
【００２２】
このドラム式洗濯機において、筐体１の上面を構成する上面板１ａは、その上面が、後部から前端部にかけて前下がりにゆるく傾斜した形状をなし、その左右方向中央位置には、前端部から後部にかけて大きく開口した縦長の洗濯物投入口３が設けられている。上面板１ａにおける、洗濯物投入口３の右前部の位置には操作パネル４が設けられており、洗濯物投入口３の左後部の位置には洗剤投入部５が設けられている。洗剤投入部５には、前から順番に立て方向に並んで、粉末洗剤投入部５ａ、液体洗剤投入部５ｂ、仕上げ剤投入部５ｃが設けられている。それぞれの投入部は、上方が開口しており、上方から洗剤や仕上げ剤が投入されるようになっている。この洗剤投入部５においては、使用頻度が一番高いと考えられる粉末洗剤投入部５ａを一番前に設けることで、使用者の使い勝手を向上させている。洗濯物投入口３を開閉するための上蓋６は、開放時には、横方向に水平に延伸する軸により、洗濯物投入口３の後方に二つ折り状態で起立可能である。また、上蓋６は、閉鎖時には、洗濯物投入口３とともに、これよりも左側部分を覆うことにより、洗剤投入部５も同時に覆う。
【００２３】
図３は操作パネル４の構成を示す、操作パネル４の平面図である。操作パネル４には、操作キー７として、電源キー７ａ、スタート/一時停止キー７ｂのほか、洗濯のみを行う複数の洗濯運転コースの中から所望のコースを選択するための洗濯コースキー７ｃ、洗濯から乾燥までを行う複数の洗濯乾燥運転コースの中から所望のコースを選択するための洗濯乾燥コースキー７ｄ、乾燥のみを行う複数の乾燥運転コースの中から所望のコースを選択するための乾燥コースキー７ｅ、ナイトモードで運転を行うときに操作するナイトモードキー７ｆ、予約時間設定キー７ｇが設けられている。また、表示部８として、各種の運転コースを表示するための、複数のＬＥＤ素子からなるコース表示部８ａ、運転残時間や予約時間、エラー情報などを表示するための、複数のセグメント素子からなる情報表示部８ｂ、洗剤量を表示するための、複数のＬＥＤ素子からなる洗剤量表示部８ｃが設けられている。
【００２４】
本ドラム式洗濯乾燥機では、乾燥のみを行う乾燥運転コースの１つとして、セーターやランジェリーなどタンブリング乾燥できない衣類を乾燥するための静止乾燥コースが設けられている。このコースでは、ドラムを停止状態としたまま温風を供給して衣類を乾かす。また、洗濯乾燥コースの１つとして、１ｋｇの容量の洗濯物を６０分で洗濯・乾燥する洗乾６０分コースが設けられている。さらに、本ドラム式洗濯乾燥機では、特定の洗濯運転コースや洗濯乾燥運転コースにおいて、ナイトモードキー７ｆが操作され、ナイトモードになると、洗いやすすぎ、脱水でのドラムの回転数が低減され、乾燥でのブロアファンの回転数が低減される。これにより、通常の運転コースに比べて運転音が低減される。このナイトモードは主に夜間の洗濯運転時に利用される。
【００２５】
次に、図４〜図６に基づき、本ドラム式洗濯機の内部構成について概略的に説明する。図４は本ドラム式洗濯乾燥機の内部構成を示す正面縦断面図、図５は同じく側面縦断面図、図６は同じく要部の右側面図である。
【００２６】
筐体１の内部には、周面が略円筒形状で両端面がほぼ閉塞された外槽１０が配設されている。この外槽１０は、その下部が前後方向に設けた２本のダンパ９で支持され、その上部が複数本のばね（図示せず）で支持されることによって、筐体１内で適度に揺動自在に保持されている。この外槽１０の内部には、洗濯物を内部に収容するための内槽として、多数の通水穴１２ａが穿孔された略円筒形状の周面の両端面がほぼ閉塞されている横型のドラム１２が、左右方向に延伸する水平軸線Ｃ（回転軸）を中心に回転自在に設けられている。このドラム１２は、例えばステンレス材でできている。
【００２７】
ドラムの左端面中央に固着された主軸１３は、外槽１０の左端面に固定されている第１軸受ケース１４に保持された軸受１５により支承されている。他方、ドラム１２の右端面中央に固着された補助軸１６は、外槽１０の右端面に固定されている第２軸受ケース１７に保持された第２軸受１８により支承されている。この主軸１３及び補助軸１６により上記水平軸線Ｃが形成される。外槽１０の左端面から側方へと突出した主軸１３の先端には、アウターロータ型のモータ１９（本発明の駆動モータに相当）のロータ１９ｂが固定され、一方、モータ台を兼ねる第１軸受ケース１４にはモータ１９のステータ１９ａが固定されている。図示しない制御回路からステータ１９ａに駆動電流が供給されるとそれによってロータ１９ｂが回転し、主軸１３を介してロータ１９ｂと同一の回転速度でドラム１２が回転駆動される。
【００２８】
外槽１０の周面の上部から斜め前方にかけて、外箱の洗濯物投入口３と一致する位置に、洗濯物を出し入れするための外槽開口２０が設けられ、外槽開口２０は外槽扉２１により開閉自在となっている。また、ドラム１２の周面にも洗濯物を出し入れするためのドラム開口２２が設けられ、ドラム開口２２はドラム扉２３により開閉自在となっている。ドラム１２の内周面には、約１２０度の間隔で３ヶ所にバッフル２４が設けられている。これらバッフル２４は、ドラム１２の回転に伴い洗濯物を掻き上げるためのものであり、左右方向（回転軸方向）に長尺な山形形状に形成されている。３つのバッフル２４のうち、２つのバッフル２４はドラム開口２２の両側であってドラム開口２２の近くに位置し、１つのバッフル２４はドラム開口２２の対面に位置している。
【００２９】
ドラム１２は回転可能であるため、ドラム開口２２が外槽開口２０と径方向に一致した位置でドラム１２が停止状態を維持するように、ステータ１９ａの下方にはドラム位置固定装置２５（ドラムをロックするための本発明のドラムロック装置に相当）が設けられている。ドラム１２の停止時には該装置２５から突出する係合凸部とロータ１９ｂに形成されている係合凹部とが噛み合い、ドラム１２の停止位置が決まる。このとき、ドラム開口２２に対向するバッフル２４は、ドラム１２の底部付近、具体的には、ドラム１２の最下位置から３０度ほど後方に位置している。
【００３０】
更にまた、外槽１０の底部には排水口２６が設けられ、排水口２６は排水バルブ２７を介し図示しない排水ホースを通して外部の排水溝へと接続されている。
【００３１】
こうして、洗いすすぎ時には、ドラム１２が低速で反転回転し、洗濯物がバッフル２４によって持ち上げられては落とされることにより、洗いあるいは濯がれる。また、脱水時には、ドラム１２が高速回転されることにより、洗濯物中の洗剤分や水が除去される。
【００３２】
外槽１０の右外側には、乾燥時に熱風をドラム１２内に供給し、洗濯物から奪った水蒸気を凝縮・液化して除去した後の空気を再び加熱するような循環空気流路２８（本発明の乾燥装置に相当）が形成されている。
【００３３】
この循環空気流路の構成について詳述するに、外槽１０を構成する胴部部材１０ａは左側端面がほぼ閉塞し、右側端面が開放した合成樹脂の一体成型品であって、水平軸線Ｃ方向の略中央下部に外槽１０の内側に連通する開口２９を有し、該開口２９から水平軸線Ｃ方向に延伸して右側端面まで至る筒状の管路３０が一体に形成されている。この開口２９が外槽１０のからの空気出口になり、管路３０は空気流路の一部となる。
【００３４】
外槽１０の胴部部材１０ａの右側開放端面にはこの端面をほぼ閉塞する端面部材１０ｂが取り付けられるが、上記管路３０に対応する箇所には円形状の開口３１が設けられ、その開口３１を覆うように熱交換器カバー３２が取り付けられる。熱交換器カバー３２の内部は、空気流路の一部として、外槽１０の右端面に沿ってほぼ真上に延伸する後部縦通気路３３となっている。熱交換器カバー３２の上部の水管接続口３２ａには、図示しないものの除湿用給水バルブ（図示せず）に接続された冷却水を流す水管が接続されており、この水管から後部縦通気路３３内に供給される水によって、この内部は実質的に熱交換器３４として機能する。
【００３５】
後部縦通気路３３は外槽１０の後方上部で、水平やや斜め上方に延伸する後部横通気路３５に接続され、後部横通気路３５はブロア室３６の後方に接続されている。ブロア室３６には、ブロアモータ（図示せず）により回転駆動されるブロアファン（図示せず）が内装されている。ブロア室３６、ブロアファン、ブロアモータは送風装置を構成する。ブロア室３６の右側方には、ほぼ水平に延伸し外槽１０の端面外側において前方に屈曲し、更に下方向に屈曲した横通気路３７が接続されている。横通気路３７の末端は第２軸受ケース１７に形成された開口１７ａに被さるように設けられている。この横通気路３７内にはシーズ線から成るヒータ３８が２個横に並んで配設されており、実質的にこの部分が空気を加熱する加熱装置となっている。第２軸受ケース１７の内側において外槽１０には複数の開口１０ｃが設けられており、この開口１０ｃが外槽１０内部への熱風供給口になっている。
【００３６】
上記構成において、ブロアモータによりブロアファンが回転駆動されると、ブロアファンは後方側から吸い込んだ空気を側方に向けて吐き出す。そのため、ブロア室３６から横通気路３７へと向かう空気流が形成され、横通気路３７を通過する間にヒータ３８で加熱された空気は、外槽１０の熱風供給口１０ｃを通して外槽１０内へと送り込まれる。ドラム１２の補助軸側の端面は、補助軸１６の周囲に吹出口となる複数の開口１６ａを有しており、主としてその開口１６ａからドラム１２内へと加熱空気が流れ込む。ドラム１２内に濡れた洗濯物が収容されている場合、熱加熱空気は洗濯物同士の隙間や洗濯物の繊維の隙間を通過し、その際に洗濯物から水分を奪う。ドラム１２における主軸側の端面は、主軸１３の周囲に排出口となる多数の排気孔１２ｂを有しており、水分を含む空気は主として排気孔１２ｂや通水穴２３ａを通ってドラム１２の外側へ出て、ドラム１２と外槽１０との隙間を通って空気出口２９へと向かう。また、このような周方向への空気の流れはドラム１２が回転することによっても促進される。このように高温の空気がドラム１２を周囲から包むように流れるので、ドラム１２は高い温度に維持され、高い乾燥効率が達成できる。
【００３７】
空気出口２９から外槽１０の外側へ取り出された、水蒸気を多量に含む空気は、管路３０及び後部縦通気路３３を通って熱交換器３４に達し急激に冷却される。その結果、空気に含まれる水蒸気は凝縮して水となる。したがって、熱交換器３４を通過した空気は乾いた空気となって後部横通気路３５を通ってブロア室３６へと戻り、再びヒータ３８で加熱されるように循環される。熱交換器３４で凝縮した水は熱交換器カバー３２の内壁を流下して、凝縮により生じた水とともに図示しない排水穴から排出される。
【００３８】
さて、上述した静止乾燥コースを行う際には、図５に示すように、ドラム１２内に乾燥補助具４０が設置される。図７は乾燥補助具の正面図、図８は乾燥補助具の平面図、図９は乾燥補助具の側面図である。乾燥補助具４０の詳細な構成について、図７から図９に基づき説明する。
【００３９】
乾燥補助具４０は、防錆のためクロムめっきを施した鉄製の線材を加工することにより作られ、洗濯物を載せるための棚部材４１と、この棚部材４１から下方へ延びてドラム１２の底部周面との間で棚部材４１を支持する脚部材４２とで構成される。
【００４０】
棚部材４１は、所定間隔おきに互いに平行に配列された８本の線材それぞれの両端を、それらと直交する線材に結合してなるものである。この棚部材４１の左右両側には、棚部材４１を構成する最前列の線材の端部と最後列の線材の端部とにその両端が結合され、水平方向から所定角度、例えば３０度ほど起き上がった略逆Ｕ字状の線材からなるガイド４３が設けられている。脚部材４２は前後左右の計４箇所に設けられている。前側の左右の脚部材４２は、棚部材４１を構成する前から２列目の線材の端部と４列目の線材の端部とにその両端が結合された略Ｕ字状の線材からなり、後側の左右の脚部材４２は、棚部材４１を構成する前から５列目の線材の端部と７列目の線材の端部とにその両端が結合された略Ｕ字状の線材からなる。
【００４１】
乾燥補助具４０の脚部材４２の高さＨは、図５に示すように、ドラム１２内に設置した状態で、棚部材４１の位置がドラム１２の中心の半分程度になる高さとしている。また、棚部材４１の奥行Ｄは、ドラム１２内部の幅よりもわずかに小さな長さとしている。さらに、ドラム奥側に置かれる脚部材４２が、バッフル２４のドラム奥側の側面２４ａ（水平軸線に沿った面）の根元に当接した状態で、棚部材４１の中心がドラム１２の中心と一致するよう、棚部材４１の幅Ｗと、棚部材４１と脚部材４２との角度Ｒとが決められている。本実施例では、棚部材４１と脚部材４２との角度Ｒが９０度となるようにしており、棚部材４１の幅Ｗは、ドラム１２の中心からバッフル２４の側面２４ａの根元までの水平距離の２倍の長さとしている。
【００４２】
図１０は本ドラム式洗濯乾燥機の電気系ブロック構成図である。制御部５０はＣＰＵ、ＲＯＭ、ＲＡＭ、タイマなどを含むマイクロコンピュータを中心に構成されており、ＲＯＭに格納されている制御プログラムに基づいて、後述するような洗濯に関する各行程の運転動作等の各種の制御を実行する。制御部５０には、操作キー７、表示部８、外槽１０内に貯留された水の水位を検知する水位センサ５２、水温又は空気の温度を検知する温度センサ５３、運転の終了や異常を報知するブザー５４などが接続されている。また、制御部５０には負荷駆動部５１が接続されており、この負荷駆動部５１を介してモータ１９、ブロアモータ５５、ヒータ３８、給水バルブ５６、除湿用給水バルブ５７、排水バルブ２７等の動作を制御する。
【００４３】
次に、上記の構成に基づいて実行される静止乾燥コースの動作を説明する。
【００４４】
静止乾燥コースを行う際には、使用者は、まず、ドラム１２内に乾燥補助具を設置する。
このとき、ドラム１２の底部付近に位置するバッフル２４が乾燥補助具４０の位置決めに利用される。即ち、使用者は、洗濯物投入口３からドラム１２内に乾燥補助具４０を投入し、一方側の脚部材４２がバッフル２４のドラム奥側の側面２４ａに当接するような状態で、乾燥補助具４０をドラム１２の底部周面上に置く。この状態で、乾燥補助具４０の棚部材４１は略水平状態となる。こうして、乾燥補助具４０の設置が完了する。乾燥補助具４０の設置時には、ドラム１２はドラム位置固定装置２５によりロックされた状態にある。よって、乾燥補助具４０がバッフル２４に強く当るなどしても、バッフル２４が動いて位置ずれを起こす虞がない。乾燥補助具４０の設置が終わると、使用者は、棚部材４１の上に乾燥する洗濯物を載せる。このとき、ドラム１２の周方向には、ガイド４３が存在するため、棚部材４２に載せた衣類が落ちにくい。
【００４５】
こうして、洗濯物を投入し終わると、使用者は、乾燥コースキー７ｅを用いて静止乾燥コースを選択する。このコースの運転終了は時間で決められ、使用者は、図示しない時間設定キーにより、１０分から９０分まで１０分刻みで設定可能な運転時間の中から、所望の運転時間を設定する。
【００４６】
スタートキー７ｂが押されると、運転が開始される。制御部５０は、ドラム位置固定装置２５によるドラムロックを継続し、モータ１９（ドラム１２）を停止したまま、ヒータ３８、ブロアモータ５５、及び除湿用給水バルブ５７をオンする。吹出口１６ａからドラム１２内に吹き出した温風は、洗濯物の上面や下面に当り、また洗濯物の内部を通過し、排気口１２ｂや通水穴１２ａからドラム１２外へ出る。こうして、洗濯物がむらなく乾燥される。この乾燥中、制御部５０は、１つのヒータ３８のみをオンして「弱」状態とし、ドラム１２内部の温度が６０℃以下となるようにする。これにより、靴が乾燥されても、靴に使用された接着剤が剥がれるのを防止する。また、ブロアモータ５５の回転数が高いほど、温風の温度は低下するが、運転初期は、ブロアモータ５５を相対的に低速、例えば、３４００ｒｐｍの回転数で回転させる。これにより、ドラム１２内の温度を素早く立ち上げる。そして、例えば、運転開始から５分が経過すると、ブロアモータ５５を相対的に中速、例えば４０００〜４５００ｒｐｍで回転させ、温風の温度を少し低下させる。そして、洗濯物の乾燥率が９０％程度になるような時間になると、ブロアモータ５５を相対的に高速、例えば、４７００ｒｐｍで回転させ、温風の温度をさらに低下させる。このように、洗濯物がほぼ乾いた時点で、温風の温度を低下させることで、フェルト収縮を起こしやすい洗濯物であっても、縮みにくくすることができる。こうして、設定された運転時間になると、制御部５０は、ヒータ３８をオフして冷風によるクールダウンを行い、ドラム１２内の温度が低下すると運転を終了する。
【００４７】
以上のように、本実施例のドラム式乾燥機においては、乾燥補助具４０によって、洗濯物がドラム１２の底部周面との間に空間を有する状態で保持されるので、洗濯物の上面や下面に温風を当てることができるとともに、内部にも温風を通過させることができ、洗濯物をむらなく乾かすことができる。
【００４８】
さらに、乾燥補助具４０は、洗濯物投入口３からドラム１２内に入れて、その脚部材４２をドラム１２の底部周面に置くだけでよく、ドラム１２内に容易に設置することができる。
【００４９】
さらに、使用者は、乾燥補助具４０の脚部材４２をバッフル２４の側面２４ａに当接させるようにしてドラム１２の底部周面に置くだけで、棚部材４１が水平となる状態に乾燥補助具４０を設置できる。したがって、容易に乾燥補助具４０を適切な状態に設置できる。
【００５０】
しかも、乾燥補助具４０の位置を決めるために、ドラム１２内に専用の位置決め部材を設ける必要が無く、この位置決め部材が洗濯時や乾燥時に洗濯物に引っかかるなどして洗濯物を傷めるような虞がない。
【００５１】
さて次に、本発明の第２の実施例のドラム式洗濯乾燥機について説明する。図１１は第２の実施例のドラム式洗濯乾燥機の内部構成を示す側面縦断面図である。この第２の実施例では、第１の実施例と同じ構成については、同じ符号をつけて説明を省略する。
【００５２】
本実施例では、乾燥補助具４０がドラム１２内に設置されていることを検知するための検知装置６０を備えている。即ち、乾燥補助具４０の４ヶ所の脚部材４２のうち、ドラム１２内に設置したときにドラム１２の前側になる１つの脚部材４２の下端には、磁石６１が取り付けられており、一方、外槽１０の外底面には、この磁石６１に反応して信号を発生するホールＩＣ６２が取り付けられている。このホールＩＣ６２は電気的に制御部５０に接続されている。
【００５３】
こうして、制御部５０は、静止乾燥コース以外のドラム１２を回転する運転コースが開始されたときに、ホールＩＣ６２からの信号によって乾燥補助具４０がドラム１２に設置されたままになっていることを検知すると、運転を中断して、ドラム１２を停止状態とする。そして、情報表示部８ｂでのエラー表示やブザー５４によるブザー音によって異常報知を行う。
【００５４】
次に、第２の実施例とは乾燥補助具４０の検知装置６０の構成が異なる第３の実施例のドラム式洗濯乾燥機について、図１２に基づき、異なる構成のみを説明する。図１２は第３の実施例のドラム式洗濯乾燥機の内部構成を示す側面縦断面図である。
【００５５】
この第３の実施例の乾燥補助具４０は、棚部材４１の所定位置から下方に延び、乾燥補助具４０をドラム１２内に設置したときにドラム１２の底部周面から突き抜けて、外槽１０の底部に設けた凹所６３の前後の壁面近傍に先端部分が収容される２本の検知用線材４４を備えている。これら検知用線材４４は水平方向に延びる１本の線材４５で連結され、補強されている。
【００５６】
こうして、乾燥補助具４０がドラム１２内に設置されたままドラム１２を回転する運転コースが行われ、ドラム１２が回転すると、検知用線材４４の先端部が外槽１０の凹所６３の前壁又は後壁にぶつかる。これにより、ドラム１２の回転が阻止される。制御部５０は、モータ１９の回転数検知のための回転センサ（図示せず）からモータ１９が回転していないことを検知すると、乾燥補助具４０が設置されていることによって、ドラム１２がロックしていると判断し、モータ１９を停止して運転を中断する。そして、情報表示部８ｂでのエラー表示やブザー５４によるブザー音によって異常報知を行う。
【００５７】
以上のように、これら第２の実施例および第３の実施例のドラム式洗濯乾燥機によれば、検知装置６０によって乾燥補助具４０が設置状態のままであることが検知されると、運転が中断してドラム１２が停止状態となる。したがって、乾燥補助具４０がドラム１２内部で攪拌されて、ドラム１２や乾燥補助具４０が破損するのを防止できる。
【００５８】
なお、本発明実施例のドラム式洗濯乾燥機においては、筐体１の側面の数箇所を内側に凹ませて座押し部を形成し、強度を高めるようにしてもよく、その中の１つの座押し部の凹んだ座押し面において、凹んだ高さの範囲内において、この洗濯乾燥機の機能などを表す文字を表すように（文字状に）外側に膨らむ座押しをしてもよい。これにより、顧客が洗濯乾燥機の性能などを容易に把握することができるようになる。
【００５９】
以上、上記実施例は本発明の一例であって、本発明は上記実施例に限定されない。
【００６０】
例えば、本実施例では、ドラムは左右方向の水平軸を中心に回転するが、前後方向の水平軸あるいは傾斜軸を中心に回転するものであってもよい。
【００６１】
乾燥補助具の材料は、鉄にクロムめっきしたものとしているが、ステンレスなど錆にくい他の金属としてもよい。また、金属でなく、耐熱性の樹脂としてもよい。樹脂のようにドラム（ステンレス製）よりもやわらかい材料を使えば、万一、乾燥補助具を設置した状態でドラムが回転しても、ドラムが傷つきにくい。また、棚部材は、洗濯物を載せることができればどのような形状でもよく、脚部材も棚部材を支持できればどのような形状でもよい。
【００６２】
乾燥補助具は、ドラム付近のバッフルのドラム奥側の側面で位置決めするようにしているが、バッフルのドラム前側の側面で位置決めするようにしてもよい。また、バッフルの側面に凹みを設けて、その凹みに脚部材の先端部分を差し込むようにして位置決めするようにしてもよい。
【００６３】
駆動モータはアウターロータ型のモータに限らず、ドラムを駆動できるモータであればよい。また、ドラムロック装置も実施例の構成に限らず、ドラムをロックできる構成であればよい。また、乾燥装置も実施例に限らず、温風を供給できる構成であればよい。さらに、検知装置は、第２の実施例や第３の実施例のものに限らず、乾燥補助具がドラム内にあることが検知できる構成であればよい。
【００６４】
その他、本発明の趣旨の範囲で、適宜に変更や修正を行うことができるものである。
【図面の簡単な説明】
【００６５】
【図１】本発明の第１の実施例よるドラム式洗濯乾燥機における上蓋を開いた状態の外観斜視図。
【図２】第１の実施例よるドラム式洗濯乾燥機における上蓋を閉じた状態の外観斜視図。
【図３】第１の実施例のドラム式洗濯乾燥機の操作パネルの平面図。
【図４】第１の実施例のドラム式洗濯乾燥機の内部構成を示す正面縦断面図。
【図５】第１の実施例のドラム式洗濯乾燥機の側面縦断面図。
【図６】第１の実施例のドラム式洗濯乾燥機の要部の右側面図。
【図７】第１の実施例のドラム式洗濯乾燥機に用いる乾燥補助具の正面図。
【図８】第１の実施例のドラム式洗濯乾燥機に用いる乾燥補助具の平面図。
【図９】第１の実施例のドラム式洗濯乾燥機に用いる乾燥補助具の側面図。
【図１０】第１の実施例のドラム式洗濯乾燥機の電気系ブロック構成図
【図１１】第２の実施例のドラム式洗濯乾燥機の内部構成を示す側面縦断面図。
【図１２】第３の実施例のドラム式洗濯乾燥機の内部構成を示す側面縦断面図。
【符号の説明】
【００６６】
１  筐体
３  洗濯物投入口
１０  外槽
１２  ドラム
１９  モータ（駆動モータ）
２２  ドラム開口
２４  バッフル
２５  ドラム位置固定装置（ドラムロック装置）
２８  循環空気流路（乾燥装置）
４０  乾燥補助具
４１  棚部材
４２  脚部材
５０  制御部
６０  検知装置
【図１】
2005152476.tif 000003
【図２】
2005152476.tif 000004
【図３】
2005152476.tif 000005
【図４】
2005152476.tif 000006
【図５】
2005152476.tif 000007
【図６】
2005152476.tif 000008
【図７】
2005152476.tif 000009
【図８】
2005152476.tif 000010
【図９】
2005152476.tif 000011
【図１０】
2005152476.tif 000012
【図１１】
2005152476.tif 000013
【図１２】
2005152476.tif 000014